(57)【要約】ベッド下に配置でき、簡単かつ確実に排泄物を回収でき、メンテナンス性に優れたベッド装置、マットレスおよび排泄物回収装置を提供すること。ベッド装置は、フレーム部と、フレーム部に載置されるマットレスとを有するベッド本体と、ベッド本体におけるマットレスの下方に配置される排泄物処理部と、を備える。マットレスは、殿部に対応した第２部分に貫通孔が設けられる。排泄物処理部は、第２部分に設けられた貫通孔に取り付けられる排泄物回収部と、排泄物回収部で回収した排泄物を収納する排泄物収納部と、排泄物回収部に取り付けられ、貫通孔を介して上方に洗浄水を噴射する洗浄部と、を有する。排泄物回収部は、マットレスの第２部分に設けられた貫通孔に嵌められるカップと、カップと排泄物収納部との間に設けられた回収用パイプと、カップの縁から上方に延出するよう設けられ、利用者の左右殿部の間に挿入される凸部と、を有する。
2018154769.tif 000002
【特許請求の範囲】
【請求項１】
フレーム部と、前記フレーム部に載置されるマットレスとを有するベッド本体と、
前記ベッド本体における前記マットレスの下方に配置される排泄物処理部と、
を備えたベッド装置であって、
前記マットレスは、
背に対応した第１部分と、
殿部に対応し、貫通孔が設けられた第２部分と、
膝上に対応した第３部分と、
膝下に対応した第４部分と、を有し、
前記フレーム部は、
前記第１部分を支持し、前記第１部分の角度を調整する第１支持部分と、
前記第２部分を支持する第２支持部分と、
前記第３部分を支持し、前記第３部分の角度を調整する第３支持部分と、
前記第４部分を支持し、前記第４部分の角度を調整する第４支持部分と、を有し、
前記排泄物処理部は、
前記貫通孔に取り付けられる排泄物回収部と、
前記排泄物回収部で回収した排泄物を収納する排泄物収納部と、
前記排泄物回収部に取り付けられ、前記貫通孔を介して上方に洗浄水を噴射する洗浄部と、を有し、
前記排泄物回収部は、
前記貫通孔に嵌められるカップと、
前記カップと前記排泄物収納部との間に設けられた回収用パイプと、
前記カップの縁から上方に延出するよう設けられ、利用者の左右殿部の間に挿入される凸部と、を有する
ことを特徴とするベッド装置。
【請求項２】
前記第１支持部分および前記第３支持部分を傾斜させた際、前記第１支持部分に対する前記第３支持部分の角度が９０度未満になる、請求項１記載のベッド装置。
【請求項３】
ベッド本体のフレーム部に載置されるマットレスであって、
背に対応した第１部分と、
殿部に対応し、排泄物処理装置を取り付ける貫通孔が設けられた第２部分と、
膝上に対応した第３部分と、
膝下に対応した第４部分と、を有し、
前記第１部分は、
下側部分と、
前記下側部分とは分離して設けられた上側部分と、
前記下側部分に対して前記上側部分をスライドさせるスライド機構と、
を備えたことを特徴とするマットレス。
【請求項４】
ベッド本体のフレーム部に載置されるマットレスの下方に配置される排泄物回収装置であって、
前記マットレスに設けられた貫通孔に嵌められるカップと、
前記カップに接続される回収用パイプと、
前記カップの縁から上方に延出するよう設けられ、利用者の左右殿部の間に挿入される凸部と、
を備えたことを特徴とする排泄物回収装置。
【発明の詳細な説明】
【技術分野】
【０００１】
本発明は、ベッド装置、マットレスおよび排泄物回収装置に関する。
【背景技術】
【０００２】
高齢や怪我、病気などによって身体的な不具合を抱えた人がベッドを利用する場合、ベッドに寝たままの状態で排便や排尿を処理（排泄処理）することが多く行われている。寝たままでの排泄処理を容易にする技術として、特許文献１〜３には介護用ベッドが開示されている。これらの介護用ベッドでは、ベッド本体の下方に排泄物を溜めるタンクが設けられており、床部分に設けた孔から排泄物を下方のタンクに溜められるようになっている。【０００３】
特許文献４〜７には、装着型の排泄物処理装置が開示される。この装置では、患者や介護者の腰部に装置を装着しておき、ベッドから起きることなくこの装置によって排泄物を回収できるようになっている。また、装着した装置から温水などを噴射して肛門等を洗浄したり、温風などで乾燥したりできるようになっている。【０００４】
特許文献８〜９には、介護用のマット（マットレス）が開示される。このマットレスでは、中央部に孔が設けられている。この孔からベッド本体の下方に設けた排泄物回収装置へパイプなどを通している。
【先行技術文献】
【特許文献】
【０００５】
【特許文献１】特開２０１６−１７２０５６号公報
【特許文献２】特開２０１２−５０３５２０号公報
【特許文献３】特開２００９−０４５１５１号公報
【特許文献４】特開２０１３−０８５８２７号公報
【特許文献５】特開２００１−０７９０２８号公報
【特許文献６】特開２００７−３３０７６０号公報
【特許文献７】特開２００８−２３７４２０号公報
【特許文献８】特開２０１７−０００３７１号公報
【特許文献９】特開２００７−３１９３３５号公報
【発明の概要】
【発明が解決しようとする課題】
【０００６】
排泄処理は欠かさず行う必要があり、介護の現場においてには介護を受ける側、介護する側の双方にとって負担軽減が望まれる。また、排泄処理は個人で行いたいものであり、ベッドから降りることなく排泄処理を行うシステムとして個々に用意しておくことが望ましい。このため、大がかりな設備よりもベッドごとにコンパクトに設置できる構成が必要である。また、毎日使用するものであるため、メンテナンス性も重要である。【０００７】
本発明は、ベッド下に配置でき、簡単かつ確実に排泄物を回収でき、メンテナンス性に優れたベッド装置、マットレスおよび排泄物回収装置を提供することを目的とする。
【課題を解決するための手段】
【０００８】
上記課題を解決するため、本発明の一態様は、フレーム部と、フレーム部に載置されるマットレスとを有するベッド本体と、ベッド本体におけるマットレスの下方に配置される排泄物処理部と、を備えたベッド装置である。
マットレスは、背に対応した第１部分と、殿部に対応し、貫通孔が設けられた第２部分と、膝上に対応した第３部分と、膝下に対応した第４部分と、を有する。
フレーム部は、マットレスの第１部分を支持し、第１部分の角度を調整する第１支持部分と、マットレスの第２部分を支持する第２支持部分と、マットレスの第３部分を支持し、第３部分の角度を調整する第３支持部分と、マットレスの第４部分を支持し、第４部分の角度を調整する第４支持部分と、を有する。
排泄物処理部は、マットレスの第２部分に設けられた貫通孔に取り付けられる排泄物回収部と、排泄物回収部で回収した排泄物を収納する排泄物収納部と、排泄物回収部に取り付けられ、貫通孔を介して上方に洗浄水を噴射する洗浄部と、を有する。
排泄物回収部は、マットレスの第２部分に設けられた貫通孔に嵌められるカップと、カップと排泄物収納部との間に設けられた回収用パイプと、カップの縁から上方に延出するよう設けられ、利用者の左右殿部の間に挿入される凸部と、を有する。【０００９】
このような構成によれば、利用者はベッド本体から降りることなく排泄物を処理できる。例えば、利用者が排泄を行う際、マットレスの第２部分に設けられた貫通孔に取り付けられる排泄物回収部によって排泄物が回収され、ベッド本体の下方に設けられた排泄物処理部へ排泄部が送られる。
必要に応じてフレーム部の第１支持部分および第３支持部分を傾斜させることで、利用者の身体を起こして排泄しやすい角度に調整することができる。
また、カップの縁から上方に延出する凸部が利用者の左右殿部の間に挿入されるため、左右殿部を適度に開いておくことができ、殿部に邪魔されることなく排泄した便を回収することができる。【００１０】
上記ベッド装置において、第１支持部分および第３支持部分を傾斜させた際、第１支持部分に対する第３支持部分の角度が９０度未満になるよう設けられていてもよい。これにより、利用者は背を起こしつつ、膝上を折り曲げて殿部を突き出すような体勢をとることができる。この体勢によれば、排泄を容易に行うことができる。【００１１】
本発明の一態様は、ベッド本体のフレーム部に載置されるマットレスである。このマットレスは、背に対応した第１部分と、殿部に対応し、排泄物処理装置を取り付ける貫通孔が設けられた第２部分と、膝上に対応した第３部分と、膝下に対応した第４部分と、を有する。
第１部分は、下側部分と、下側部分とは分離して設けられた上側部分と、下側部分に対して上側部分をスライドさせるスライド機構と、を備えている。【００１２】
このような構成によれば、第２部分に設けられた貫通孔に排泄物処理装置を取り付けることができ、貫通孔を介して排泄物を回収することができる。また、第１部分における上側部分が下側部分に対してスライド可能に設けられているため、第１部分を起こした際に、第１部分と第２部分との境目で殿部などが挟まれることがなく、利用者の違和感を軽減することができる。【００１３】
本発明の一態様は、ベッド本体のフレーム部に載置されるマットレスの下方に配置される排泄物回収装置である。この排泄物回収装置は、マットレスに設けられた貫通孔に嵌められるカップと、カップに接続される回収用パイプと、カップの縁から上方に延出するよう設けられ、利用者の左右殿部の間に挿入される凸部と、を備える。【００１４】
このような構成によれば、利用者が排泄を行う際、マットレスに設けられた貫通孔に嵌められたカップで排泄物を受けて、回収用パイプへ送ることができる。この際、カップの縁から上方に延出する凸部が利用者の左右殿部の間に挿入されるため、左右殿部を適度に開いておくことができ、殿部に邪魔されることなく排泄した便を回収することができる。
【図面の簡単な説明】
【００１５】
【図１】本実施形態に係るベッド装置を例示する斜視図である。
【図２】（ａ）および（ｂ）は、本実施形態に係るマットレスを例示する模式図である。
【図３】（ａ）および（ｂ）は、排泄物回収部を例示する模式図である。
【図４】（ａ）および（ｂ）は、回収用パイプの途中に設けられた弁について例示する模式断面図である。
【図５】排泄物回収部を例示する斜視図である。
【図６】利用者とカップとの位置関係を例示する模式図である。
【図７】（ａ）および（ｂ）は、マットレスの第１部分を例示する模式図である。
【図８】排泄処理を例示する模式図である。
【図９】マットレスの角度を例示する模式図である。
【発明を実施するための形態】
【００１６】
以下、本発明の実施形態を図面に基づいて説明する。なお、以下の説明では、同一の部材には同一の符号を付し、一度説明した部材については適宜その説明を省略する。
【００１７】
（ベッド装置）
図１は、本実施形態に係るベッド装置を例示する斜視図である。
図２（ａ）および（ｂ）は、本実施形態に係るマットレスを例示する模式図である。図２（ａ）にはマットレス３０の斜視図が示され、図２（ｂ）にはマットレス３０を曲げた状態が示される。
なお、ベッド装置１００にはマットレス３０が含まれるが、説明の便宜上、図１にはマットレス３０は示されていない。
【００１８】
本実施形態に係るベッド装置１００は、ベッド本体１０と、排泄物処理部２０とを備える。ベッド本体１０は、矩形の外枠１１１を有するフレーム部１１と、フレーム部１１の上に載置されるマットレス３０とを有する。フレーム部１１の外枠１１１は長方形型に組まれており、外枠１１１の四隅には下方に延びる脚部１２が取り付けられている。また、外枠１１１の一端には、必要に応じてヘッドボード１１５が設けられる。
【００１９】
外枠１１１の内側には、第１支持部分１１１Ａ、第２支持部分１１１Ｂ、第３支持部分１１１Ｃおよび第４支持部分１１１Ｄが設けられる。これらの支持部分１１１Ａ〜１１１Ｄの上にマットレス３０が載置され、マットレス３０を下から支える。
【００２０】
マットレス３０は、利用者の背の部分に対応した第１部分３１と、利用者の殿部に対応した第２部分３２と、利用者の膝上の部分に対応した第３部分３３と、利用者の膝下の部分に対応した第４部分３４とを有する。マットレス３０は、これらの部分３１〜３４の境目で容易に折り曲げられるようになっている。
【００２１】
マットレス３０をフレーム部１１の上に載置すると、フレーム部１１の第１支持部分１１１Ａはマットレス３０の第１部分３１を支持し、フレーム部１１の第２支持部分１１１Ｂはマットレス３０の第２部分３２を支持し、フレーム部１１の第３支持部分１１１Ｃはマットレス３０の第３部分３３を支持し、フレーム部１１の第４支持部分１１１Ｄはマットレス３０の第４部分３４を支持する位置関係となる。
【００２２】
フレーム部１１の第１支持部分１１１Ａは、マットレス３０の第１部分３１の角度を調整することができる。第３支持部分１１１Ｃは、マットレス３０の第３部分３３の角度を調整することができる。また、第４支持部分１１１Ｄは、マットレス３０の第４部分３４の角度を調整することができる。なお、第２支持部分１１１Ｂは外枠１１１に固定され、角度調整はされない。
【００２３】
これら第１支持部分１１１Ａ、第３支持部分１１１Ｃおよび第４支持部分１１１Ｄのそれぞれの角度調整は、図示しない駆動機構（例えば、電動モータおよびリンク機構）によって、水平位置から所定の角度まで傾斜できるようになっている。また、リンク機構によって角度調整とともに平行移動できるようになっている。
【００２４】
第１支持部分１１１Ａ、第３支持部分１１１Ｃおよび第４支持部分１１１Ｄのそれぞれの角度調整は連動して行われてもよいし、独立して角度調整できるようになっていてもよい。本実施形態では、第１支持部分１１１Ａは独立して角度調整可能となっており、第３支持部分１１１Ｃと第４支持部分１１１Ｄとは連動して角度調整される。
【００２５】
このようなフレーム部１１の上にマットレス３０を載置し、第１支持部分１１１Ａ、第３支持部分１１１Ｃおよび第４支持部分１１１Ｄを水平にすることで、マットレス３０全体は水平となる。これにより、利用者は平らに寝ることができる。
【００２６】
一方、第１支持部分１１１Ａ、第３支持部分１１１Ｃおよび第４支持部分１１１Ｄを傾斜させることで、これらの傾斜に合わせてマットレス３０の第１部分３１、第３部分３３および第４部分３４も傾斜することになる。利用者は、マットレス３０の第１部分３１、第３部分３３および第４部分３４の傾斜によって身体を起こしたり、座るような姿勢をとったりすることができる。
【００２７】
例えば、第１支持部分１１１Ａを傾斜させるとマットレス３０の背に対応した第１部分３１が起き上がり、利用者の背を起こすことができる。また、第３支持部分１１１Ｃおよび第４支持部分１１１Ｄを山型になるように傾斜させると、マットレス３０の第３部分３３および第４部分３４が山型に折れ曲がり、利用者の膝を持ち上げるようになる。図２（ｂ）には、マットレス３０の傾斜状態の一例が示されている。
【００２８】
マットレス３０の第２部分３２には貫通孔３２ｈが設けられている。また、第２部分３２を支持するフレーム部１１の第２支持部分１１１Ｂには貫通孔３２ｈに対応して孔１１１ｈが設けられている。フレーム部１１の上にマットレス３０を載置すると、第２部分３２の貫通孔３２ｈと、その下の第２支持部分１１１Ｂの孔１１１ｈとが合うようになっている。この貫通孔３２ｈおよび孔１１１ｈを介して利用者の排泄物をベッド本体１０の下方に配置された排泄物処理部２０へ送ることができる。
【００２９】
図３（ａ）および（ｂ）は、排泄物回収部を例示する模式図である。
図３（ａ）にはベッド本体１０の横から見た模式図が示され、図３（ｂ）にはベッド本体１０の上から見た模式図が示される。
【００３０】
排泄物処理部２０は、貫通孔３２ｈに取り付けられる排泄物回収部４０と、排泄物回収部４０で回収した排泄物を収納する排泄物収納部２１と、排泄物回収部４０に取り付けられ、貫通孔３２ｈを介して上方に洗浄水を噴射する洗浄部２２と、を有する。
【００３１】
排泄物回収部４０は、マットレス３０の貫通孔３２ｈに嵌められるカップ４１と、カップ４１に接続される回収用パイプ４５とを有する。カップ４１と回収用パイプ４５とは分離しており、カップ４１の下方に延びるパイプが回収用パイプ４５の上端部から差し込まれている。カップ４１は、利用者Ｐが装着するおむつカバー５００に取り付けられている。これにより、利用者Ｐがおむつカバーを装着することで、カップ４１を利用者の殿部Ｈの位置に当てておくことができる。
【００３２】
洗浄部２２は、洗浄水を溜める洗浄水タンク２２０と、洗浄水タンク２２０から洗浄水をカップ４１の位置まで送り込む送水ホース２２１とを有する。送水ホース２２１の先端はカップ４１の途中に差し込まれており、洗浄水を殿部Ｈに噴射できるようになっている。洗浄水は洗浄水タンク２２０で温められて温水になっていてもよい。また、送水ホース２２１と並列に、空気や温風を送り込むための送風ホース２２２がカップ４１の途中に差し込まれていてもよい（図５参照）。洗浄後に空気や温風を殿部Ｈに吹き付けることで、洗浄水で濡れた殿部Ｈを乾燥させる。
【００３３】
図４（ａ）および（ｂ）は、回収用パイプの途中に設けられた弁について例示する模式断面図である。
回収パイプ４５の途中には弁４５１が設けられている。図４（ａ）に示すように、通常の状態では錘４５２の作用によって弁４５１が閉じている。弁４５１が閉じていることで、排泄物収納部２１に溜められた排泄物から発生する臭いを止めることができる。
【００３４】
利用者Ｐが排泄した場合には、図４（ｂ）に示すように、排泄物の重さによって弁４５１が開き、回収パイプ４５から排泄物収納部２１に排泄物が送られる。排泄物が送られた後は、再び錘４５２の作用によって弁４５１が閉じるようになる。
【００３５】
ここで、錘４５２の動きや弁４５１の開閉の状態をセンサ（例えば、リミットスイッチ、光電センサ等）によって検出し、弁４５１が開いたことを検知した際に送水ホース２２１から洗浄水を噴射したり、送風ホース２２２から空気や温風を吹き付けたりする制御を行ってもよい。
【００３６】
（排泄物回収部）
図５は、排泄物回収部を例示する斜視図である。
図６は、利用者とカップとの位置関係を例示する模式図である。
排泄物回収部４０のカップ４１は漏斗型になっており、上方の開口で排泄物を受けて、下方に接続された回収用パイプ４５に排泄物を送るようになっている。本実施形態では、カップ４１の縁から上方に延出する凸部４２が設けられる。利用者がマットレス３０の上に仰向けで寝た際、凸部４２が利用者Ｐの左右の殿部Ｈの間に挿入される。殿部Ｈへの当たりを優しくするため、凸部４２の先端部は丸みを帯びた形状に設けられている。
【００３７】
また、カップ４１の縁に、シート５０の円形開口部縁が接合される。接合方法は融着としてもよいし、接着としてもよい。また、カップ４１とシート５０を一体として成型してもよい。シート５０は、例えばシリコーン樹脂製のシート体であり、柔軟性や肌触りに優れ、汚れが付着しにくいものとなっている。シート５０の材質を他のプラスチックやラテックスゴム等とすることも考えられるが、材質によっては、アレルギーを発生させる等の問題が生じうるため、シリコーン樹脂を用いることが特に好ましい。また、カップ４１もシート５０と同様にシリコーン樹脂製とするとよい。なお、通常、シリコーン樹脂は疎水性（親油性）であるため、油分を含む排泄物が付着し流れにくくなってしまう。そこで、カップ４１及びシート５０における排泄物と接する面のシリコーン樹脂をコーティング等によって親水性に改質することが好ましい。
【００３８】
先に説明したように、カップ４１は、シート５０とともにおむつカバー５００に取り付けられる。おむつカバー５００は、例えば耐水性を備えたプラスチックフィルムによって形成されている。このおむつカバー５００のほぼ中央にはカップ４１を取り付けるための開口部が設けられている。図６に示されているように、カップ４１の周囲において、シート５０とおむつカバーとの隙間には尿取りパッド５１０が挟まれる。
【００３９】
このような構成によって、利用者Ｐがおむつカバーを装着することで、カップ４１が殿部Ｈにセットされる状態になる。おむつカバー５００を装着した利用者Ｐがマットレス３０の上に仰向けで寝ると、利用者Ｐの殿部Ｈが丁度貫通孔３２ｈの上に位置するようになり、カップ４１が貫通孔３２ｈ内に収まる。カップ４１の下方には回収用パイプ４５が設けられ、弁４５１を介してベッド本体１０の下方の排泄物処理部２０まで達している。カップ４１の途中には洗浄水タンク２２０から延びる送水ホース２２１の先端が差し込まれるとともに、送風ホース２２２の先端が差し込まれている。
【００４０】
利用者Ｐがマットレス３０に仰向けで寝ると、殿部Ｈの位置と第２部分３２とが対応する。この際、肛門Ａの下方に第２部分３２の貫通孔３２ｈに嵌めたカップ４１が配置される。また、カップ４１の凸部４２が左右の殿部Ｈの間に差し込まれる。これにより、凸部４２の幅に応じて左右の殿部Ｈが拡げられることになる。
【００４１】
凸部４２によって左右の殿部Ｈが拡げられると、肛門Ａから出された排泄物が殿部Ｈに付着しにくくなる。また、排泄が終わった後に送水ホース２２１から洗浄水を噴射する際、左右の殿部Ｈが拡げられていることで、肛門周辺の洗浄領域を広く確保することができ、肛門Ａおよびその周辺の殿部Ｈを洗浄しやすくなる。また、送風ホース２２２から空気や温風を吹き付けて乾燥させる際にも、左右の殿部Ｈが拡げられていることで乾きやすくなる。
【００４２】
（マットレス）
次に、本実施形態に係るマットレス３０の第１部分３１について説明する。
図７（ａ）および（ｂ）は、マットレスの第１部分を例示する模式図である。
図７（ａ）には第１部分３１の斜視図が示され、図７（ｂ）には第１部分３１の側面図が示される。
【００４３】
マットレス３０の第１部分３１は、上側部分３１１と下側部分３１２とに分離されている。また、上側部分３１１と下側部分３１２との間にはスライド機構３１５が設けられる。スライド機構３１５によって第１部分３１の上側部分３１１は、下側部分３１２に対してマットレス３０の長手方向にスライド移動できるようになっている。図３に示す例では、上側部分３１１と下側部分３１２との間の左右に、マットレス３０の長手方向に延びる段差が設けられる。この段差がスライド機構３１５としての役目を果たす。
【００４４】
図７（ｂ）に示すように、マットレス３０の第１部分３１が水平になっている状態では、上側部分３１１と下側部分３１２との間にずれは生じない。一方、第１部分３１を起こすように傾斜させると、折り曲げの内側になる上側部分３１１が、折り曲げの外側になる下側部分３１２に対して先端が延びるようにスライドすることになる。
【００４５】
マットレス３０の第１部分３１と第２部分３２との間は、利用者の腰の辺りと当接している。このため、マットレス３０の第１部分３１を起こす際に、スライド機構３１５が設けられていないと、第１部分３１の内側での曲率が大きくなり（曲がりがきつくなり）、利用者Ｐの腰の辺りを圧迫して、挟まれるような違和感を与える可能性が生じる。
【００４６】
上記のように、スライド機構３１５が設けられていることで、第１部分３１を起こして利用者Ｐの背を起こすようにした場合、第１部分３１の上側部分３１１が下側部分３１２に対してスライドして、第１部分３１の内側（上側部分３１１）と第２部分３２との間での曲がりのきつさを抑制することができる。これにより、利用者Ｐの腰の辺りの圧迫感が解消され、背を起こした際の腰周りの違和感を与えないようにすることができる。
【００４７】
（排泄処理）
図８は、排泄処理を例示する模式図である。
図９は、マットレスの角度を例示する模式図である。
利用者Ｐは、水平なマットレス３０に仰向けに寝たまま排泄処理することもできるが、図８に示すように、マットレス３０の第１部分３１を起こして背を立てるようにして排泄処理することもできる。
【００４８】
第１支持部分１１１Ａを傾斜させてマットレス３０の第１部分３１を起こす場合、図９に示すように、第１支持部分１１１Ａに対する第３支持部分１１１Ｃの角度θ１を９０度未満（鋭角）にすることが好ましい。また、第１支持部分１１１Ａの水平に対する角度θ２は７０度程度にする。第４支持部分１１１Ｄは第３支持部分１１１Ｃと連動して足先が下がるように傾斜させる。第２支持部分１１１Ｂは傾斜しない。
【００４９】
第１支持部分１１１Ａ、第３支持部分１１１Ｃおよび第４支持部分１１１Ｄの傾斜に合わせて、マットレス３０の第１部分３１が立ち上がり、利用者Ｐの背が起きる。また、マットレス３０の第３部分３３および第４部分３４の傾斜によって利用者Ｐの膝が上がる状態になる。
【００５０】
このようなマットレス３０の角度によって、利用者Ｐの腰はトイレの便座に座っているような角度（鋭角）に曲げられる。腰が鋭角に曲がることで、肛門が拡がりやすくなり、肛門に向かう腸の向きも排泄しやすい角度になる。本実施形態のようなマットレス３０の角度にすることで、利用者Ｐは真っ直ぐ仰向けで寝ている状態に比べて、楽に排泄できることになる。
【００５１】
さらに、本実施形態ではカップ４１に設けられた凸部４２によって左右の殿部Ｈが拡げられている。したがって、排泄物が殿部Ｈに付着しにくく、カップ４１で確実に回収できるようになる。
【００５２】
また、排泄が終わった後は、洗浄部２２の送水ホース２２１から殿部Ｈに向けて洗浄水を噴射する。この際、排泄の際と同様なマットレス３０の角度のまま洗浄を行う。利用者Ｐの殿部Ｈは下方（カップ４１側）に向けて突き出した格好になっており、しかも凸部４２によって左右の殿部Ｈが拡げられた状態になっている。したがって、洗浄水を的確に殿部Ｈや肛門Ａに向けて噴射し、洗浄できることになる。
【００５３】
また、殿部Ｈが下方に突き出していることで、洗浄した後の水が殿部Ｈよりも上（背中や太ももも側）に回りにくくなる。洗浄した後の水は、利用者Ｐの最も下方である殿部Ｈから垂れて、カップ４１で回収されることになる。
【００５４】
洗浄水による洗浄を行った後は、必要に応じて送風ホース２２２から空気や温風を吹き付ける。これにより、洗浄水が吹き飛ばされ、殿部Ｈを乾燥させることができる。
【００５５】
以上説明したように、実施形態によれば、ベッド下に配置でき、簡単かつ確実に排泄物を回収でき、メンテナンス性に優れたベッド装置１００、マットレス３０および排泄物回収部４０を提供することが可能となる。
【００５６】
なお、上記に本実施形態およびその変形例を説明したが、本発明はこれらの例に限定されるものではない。例えば、前述の各実施形態またはその変形例に対して、当業者が適宜、構成要素の追加、削除、設計変更を行ったものや、各実施形態の特徴を適宜組み合わせたものも、本発明の要旨を備えている限り、本発明の範囲に包含される。
【符号の説明】
【００５７】
１０…ベッド本体
１１…フレーム部
１２…脚部
２０…排泄物処理部
２１…排泄物収納部
２２…洗浄部
３０…マットレス
３１…第１部分
３２…第２部分
３２ｈ…貫通孔
３３…第３部分
３４…第４部分
４０…排泄物回収部
４１…カップ
４２…凸部
４５…回収用パイプ
５０…シート
１００…ベッド装置
１１１…外枠
１１１Ａ…第１支持部分
１１１Ｂ…第２支持部分
１１１Ｃ…第３支持部分
１１１Ｄ…第４支持部分
１１１ｈ…孔
１１５…ヘッドボード
２２０…洗浄水タンク
２２１…送水ホース
２２２…送風ホース
３１１…上側部分
３１２…下側部分
３１５…スライド機構
４５１…弁
４５２…錘
５００…おむつカバー
５１０…尿取りパッド
Ａ…肛門
Ｈ…殿部
Ｐ…利用者
【図１】
2018154769.tif 000003
【図２】
2018154769.tif 000004
【図３】
2018154769.tif 000005
【図４】
2018154769.tif 000006
【図５】
2018154769.tif 000007
【図６】
2018154769.tif 000008
【図７】
2018154769.tif 000009
【図８】
2018154769.tif 000010
【図９】
2018154769.tif 000011
【国際調査報告】
2018154769.tif 000012
2018154769.tif 000013
2018154769.tif 000014
2018154769.tif 000015